(57)【要約】【課題】携帯端末装置の持ち方に拘わらずユーザが円滑にロック解除のための操作を行うことが可能な携帯端末装置、ロック解除方法およびプログラムを提供する。【解決手段】携帯電話機１は、キャビネット２の正面に設けられたディスプレイ３と、前記ディスプレイ３を覆うように設けられ、ユーザの操作を検出するフロントタッチパネル４と、キャビネット２の背面に配置され、ユーザの操作を検出するバックタッチパネル７と、ユーザによる誤操作を防止するためのロック機能を設定および解除する制御部１１と、を備える。制御部１１は、ロック機能が設定されている場合に、フロントタッチパネル４により第１の操作が検出されると、ロック機能の設定を解除し、前記ロック機能が設定されている場合に、バックタッチパネル７により第２の操作が検出されると、ロック機能の設定を解除する。【選択図】図１
2014127782.tif 000002
【特許請求の範囲】
【請求項１】
筺体と、
前記筺体の第１の面に設けられた表示部と、
前記表示部を覆うように設けられ、ユーザの操作を検出する第１の検出部と、
前記第１の面と背向する第２の面に配置され、ユーザの操作を検出する第２の検出部と、
ユーザによる誤操作を防止するためのロック機能を設定および解除するロック制御部と、を備え、
ロック制御部は、
前記ロック機能が設定されている場合に、前記第１の検出部により第１の操作が検出されると、前記ロック機能の設定を解除し、
前記ロック機能が設定されている場合に、前記第２の検出部により第２の操作が検出されると、前記ロック機能の設定を解除する、
ことを特徴とする携帯端末装置。
【請求項２】
請求項１に記載の携帯端末装置において、
前記ロック制御部は、前記ロック機能が設定されている場合に、
前記第１の検出部により第３の操作が検出されると、前記ロック機能の設定を解除するための解除画面を前記表示部に表示し、
前記第２の検出部により第４の操作が検出されると、前記ロック機能を解除するための前記解除画面を前記表示部に表示し、
前記解除画面が表示されている間に、前記第１の操作または前記第２の操作が検出されたことに基づいて、前記ロック機能の設定を解除する、
ことを特徴とする携帯端末装置。
【請求項３】
請求項２に記載の携帯端末装置において、
前記解除画面は、前記ロック機能の設定の解除の際に操作されるオブジェクトを含み、
前記ロック制御部は、
前記第１の検出部が前記オブジェクトに対して第１の操作を検出したことに基づいて、前記ロック機能の設定を解除し、
前記解除画面が表示されているときの前記第２の検出部に対する操作を前記解除画面に対する操作として取得し、前記第２の検出部が前記オブジェクトに対する第２の操作を検出したことに基づいて、前記ロック機能の設定を解除する、
ことを特徴とする携帯端末装置。
【請求項４】
請求項２または３に記載の携帯端末装置において、
前記ロック制御部は、前記ロック機能が設定されている場合に、前記第１の検出部により前記第３の操作が検出されると、前記オブジェクトを、前記表示部上の前記第３の操作がなされた位置に表示する、
ことを特徴とする携帯端末装置。
【請求項５】
請求項２ないし４の何れか一項に記載の携帯端末装置において、
前記ロック制御部は、前記ロック機能が設定されている場合に、前記第２の検出部により前記第４の操作が検出されると、前記オブジェクトを、前記表示面上の予め設定された位置に表示する、
ことを特徴とする携帯端末装置。
【請求項６】
請求項２ないし５の何れか一項に記載の携帯端末装置において、
前記携帯端末装置が把持されたことを検出する把持検出部をさらに備え、
前記ロック制御部は、前記ロック機能が設定されている場合において、前記携帯端末装置が把持されたことが前記把持検出部によって検出されないときは、前記第３の操作および前記第４の操作を受け付けず、前記携帯端末装置が把持されたことが前記把持検出部によって検出されたときは、前記第３の操作および前記第４の操作を受け付ける、
ことを特徴とする携帯端末装置。
【請求項７】
請求項６に記載の携帯端末装置において、
前記ロック制御部は、前記ロック機能が設定されている場合において、前記携帯端末装置が把持されたことが前記把持検出部によって検出されると、前記第３の操作または前記第４の操作がなされた場合よりも明瞭さを低下させた状態で、前記解除画面を前記表示部に表示させ、表示された前記解除画面に対して前記第２の検出部が第５の操作を検出したことに基づいて、前記ロック機能の設定を解除する、
ことを特徴とする携帯端末装置。
【請求項８】
筺体と、前記筺体の第１の面に設けられた表示部と、前記表示部を覆うように設けられ、ユーザの操作を検出する第１の検出部と、前記第１の面と背向する第２の面に配置され、ユーザの操作を検出する第２の検出部と、を備える携帯端末装置のロック解除方法であって、
ユーザによる誤操作を防止するためのロック機能が設定されている場合に、前記第１の検出部により第１の操作が検出されたか否か、および、前記第２の検出部により第２の操作が検出されたか否かを判定する判定ステップと、
前記判定ステップによる判定結果に基づいて前記ロック機能の設定を解除する解除ステップと、を含む、
ことを特徴とするロック解除方法。
【請求項９】
筺体と、前記筺体の第１の面に設けられた表示部と、前記表示部を覆うように設けられ、ユーザの操作を検出する第１の検出部と、前記第１の面と背向する第２の面に配置され、ユーザの操作を検出する第２の検出部と、を備える携帯端末装置のコンピュータにロック解除機能を付与するプログラムであって、
ユーザによる誤操作を防止するためのロック機能が設定されている場合に、前記第１の検出部により第１の操作が検出されたか否か、および、前記第２の検出部により第２の操作が検出されたか否かを判定する判定ステップと、
前記判定ステップによる判定結果に基づいて前記ロック機能の設定を解除する解除ステップと、を含む、
ことを特徴とするプログラム。
【発明の詳細な説明】
【技術分野】
【０００１】
本発明は、携帯電話機、ＰＤＡ（Personal Digital Assistant）、タブレットＰＣ（Tablet PC）および電子書籍端末等の携帯端末装置に関する。また、本発明は、かかる携帯端末装置に用いて好適なロック解除方法およびプログラムに関する。
【背景技術】
【０００２】
従来、筐体の正面にディスプレイが配置された携帯電話機が知られている（たとえば、特許文献１参照）。かかる携帯電話機では、たとえば、略長方形の輪郭を有する筺体の正面に、筺体より僅かに小さい略長方形のディスプレイが配置される。さらに、このディスプレイの上にタッチパネルが配置される。携帯電話機は、タッチパネルが検出したユーザのタッチ操作に基づいて、各種アプリケーションプログラム（以下、単に「アプリケーション」と称する。）を実行する。タッチパネルはディスプレイの上に配置されていることから、ユーザは、あたかもディスプレイをタッチすることで、携帯電話機を操作しているように感じることができる。
【先行技術文献】
【特許文献】
【０００３】
【特許文献１】特開２０１２−２０３８９５号公報
【発明の概要】
【発明が解決しようとする課題】
【０００４】
上記携帯電話機では、一般に、ユーザによる操作が所定時間以上行われないと、ロック機能が設定される。ロック機能は、ユーザによる誤操作を防止するための機能である。ロック機能が設定されると、携帯電話機は、ホーム画面等、直前に表示されていた画面を閉じる。これにより、ディスプレイに対するユーザの操作が受け付けられない。次に、ユーザは、携帯電話機を再び使用する場合、たとえば、筐体の側面に配置されたボタンを操作して、ディスプレイにロック解除画面を表示させる。ロック解除画面とは、設定されたロック機能を解除するのに使用される画面である。ロック解除画面が表示された場合、ユーザによるロック機能の解除のための解除操作は受け付けられる。しかしながら、ロック機能は継続中であり、依然としてユーザの操作は制限されるため、ユーザによる誤操作が防止される。携帯電話機は、ロック解除画面をディスプレイに表示している場合に、所定の解除操作をタッチパネルが検出すると、ロック機能を解除する。携帯電話機は、ロック機能が解除された後、ディスプレイに、たとえば、ホーム画面等、所定の画面を表示する。
【０００５】
しかしながら、ユーザは、携帯電話機の持ち方によっては、ディスプレイに対するロック解除のための操作を適正に行えない場合がある。この場合、ユーザは、ロック解除のための操作を適正に行えるように携帯電話機を持ち変えるといった煩雑な動作を行わなければならなくなる虞がある。
【０００６】
上記課題に鑑み、本発明は、携帯端末装置の持ち方に拘わらずユーザが円滑にロック解除のための操作を行うことが可能な携帯端末装置、ロック解除方法およびプログラムを提供することを目的とする。
【課題を解決するための手段】
【０００７】
本発明の第１の態様は携帯端末装置に関する。本態様に係る携帯端末装置は、筺体と、前記筺体の第１の面に設けられた表示部と、前記表示部を覆うように設けられ、ユーザの操作を検出する第１の検出部と、前記第１の面と背向する第２の面に配置され、ユーザの
操作を検出する第２の検出部と、ユーザによる誤操作を防止するためのロック機能を設定および解除するロック制御部と、を備える。ここで、ロック制御部は、前記ロック機能が設定されている場合に、前記第１の検出部により第１の操作が検出されると、前記ロック機能の設定を解除し、前記ロック機能が設定されている場合に、前記第２の検出部により第２の操作が検出されると、前記ロック機能の設定を解除する。
【０００８】
本態様に係る携帯端末装置において、前記ロック制御部は、前記ロック機能が設定されている場合に、前記第１の検出部により第３の操作が検出されると、前記ロック機能の設定を解除するための解除画面を前記表示部に表示し、前記第２の検出部により第４の操作が検出されると、前記ロック機能を解除するための前記解除画面を前記表示部に表示し、前記解除画面が表示されている間に、前記第１の操作または前記第２の操作が検出されたことに基づいて、前記ロック機能の設定を解除するよう構成され得る。
【０００９】
この構成において、前記解除画面は、前記ロック機能の設定の解除の際に操作されるオブジェクトを含むよう構成され得る。この場合、前記ロック制御部は、前記第１の検出部が前記オブジェクトに対して第１の操作を検出したことに基づいて、前記ロック機能の設定を解除し、前記解除画面が表示されているときの前記第２の検出部に対する操作を前記解除画面に対する操作として取得し、前記第２の検出部が前記オブジェクトに対する第２の操作を検出したことに基づいて、前記ロック機能の設定を解除する。
【００１０】
また、この構成において、前記ロック制御部は、前記ロック機能が設定されている場合に、前記第１の検出部により前記第３の操作が検出されると、前記オブジェクトを、前記表示部上の前記第３の操作がなされた位置に表示するよう構成され得る。
【００１１】
また、この構成において、前記ロック制御部は、前記ロック機能が設定されている場合に、前記第２の検出部により前記第４の操作が検出されると、前記オブジェクトを、前記表示面上の予め設定された位置に表示するよう構成され得る。
【００１２】
また、本態様に係る携帯端末装置は、前記携帯端末装置が把持されたことを検出する把持検出部をさらに備える構成とされ得る。この場合、前記ロック制御部は、前記ロック機能が設定されている場合において、前記携帯端末装置が把持されたことが前記把持検出部によって検出されないときは、前記第３の操作および前記第４の操作を受け付けず、前記携帯端末装置が把持されたことが前記把持検出部によって検出されたときは、前記第３の操作および前記第４の操作を受け付けるよう構成され得る。
【００１３】
この場合、前記ロック制御部は、前記ロック機能が設定されている場合において、前記携帯端末装置が把持されたことが前記把持検出部によって検出されると、前記第３の操作または前記第４の操作がなされた場合よりも明瞭さを低下させた状態で、前記解除画面を前記表示部に表示させ、表示された前記解除画面に対して前記第２の検出部が第５の操作を検出したことに基づいて、前記ロック機能の設定を解除するよう構成され得る。
【００１４】
本発明の第２の態様は、筺体と、前記筺体の第１の面に設けられた表示部と、前記表示部を覆うように設けられ、ユーザの操作を検出する第１の検出部と、前記第１の面と背向する第２の面に配置され、ユーザの操作を検出する第２の検出部と、を備える携帯端末装置のロック解除方法に関する。本態様に係るロック解除方法は、ユーザによる誤操作を防止するためのロック機能が設定されている場合に、前記第１の検出部により第１の操作が検出されたか否か、および、前記第２の検出部により第２の操作が検出されたか否かを判定する判定ステップと、前記判定ステップによる判定結果に基づいて前記ロック機能の設定を解除する解除ステップと、を含む。
【００１５】
本発明の第３の態様は、筺体と、前記筺体の第１の面に設けられた表示部と、前記表示部を覆うように設けられ、ユーザの操作を検出する第１の検出部と、前記第１の面と背向する第２の面に配置され、ユーザの操作を検出する第２の検出部と、を備える携帯端末装置のコンピュータにロック解除機能を付与するプログラムに関する。本態様に係るプログラムは、ユーザによる誤操作を防止するためのロック機能が設定されている場合に、前記第１の検出部により第１の操作が検出されたか否か、および、前記第２の検出部により第２の操作が検出されたか否かを判定する判定ステップと、前記判定ステップによる判定結果に基づいて前記ロック機能の設定を解除する解除ステップと、を含む。
【発明の効果】
【００１６】
本発明によれば、携帯端末装置の持ち方に拘わらずユーザが円滑にロック解除のための操作を行うことが可能な携帯端末装置、ロック解除方法およびプログラムを提供することができる。
【００１７】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００１８】
【図１】実施形態に係る、携帯電話機の構成を示す図である。
【図２】実施形態に係る、携帯電話機の全体構成を示すブロック図である。
【図３】実施例１に係る、ロック解除の際の処理を示す図である。
【図４】実施例１に係る、ロック解除動作時の画面を示す図である。
【図５】実施例１に係る、ロック解除動作時の画面を示す図である。
【図６】実施例１に係る、ロック解除処理を示すフローチャートである。
【図７】実施例１に係る、ロック解除処理を示すフローチャートである。
【図８】実施例１に係る、ロック解除動作時の画面を示す図である。
【図９】実施例１に係る、ロック解除動作時の画面を示す図である。
【図１０】実施例２に係る、ロック解除処理を示すフローチャートおよびロック解除動作時の画面を示す図である。
【図１１】実施例２に係る、ロック解除処理を示すフローチャートである。
【図１２】実施例２に係る、ロック解除動作時の画面を示す図である。
【図１３】変更例に係る、ロック解除動作時の画面を示す図である。
【発明を実施するための形態】
【００１９】
以下、本発明の実施形態について、図面を参照して説明する。
【００２０】
図１（ａ）、（ｂ）、（ｃ）は、それぞれ、携帯電話機１の正面図、背面図および右側面図である。以下、説明の便宜上、図１（ａ）〜（ｃ）に示すように、キャビネット２の長手方向を上下方向と定義し、キャビネット２の短手方向を左右方向と定義する。
【００２１】
図１に示されるように、携帯電話機１は、キャビネット２と、ディスプレイ３と、フロントタッチパネル４と、マイクロフォン５と、通話スピーカ６と、バックタッチパネル７と、外部スピーカ８と、電界発生器９と、電界検知器１０を備えている。
【００２２】
キャビネット２は、正面から見て、ほぼ長方形の輪郭を有する。キャビネット２の正面に、ディスプレイ３が配されている。ディスプレイ３には、各種の画像（画面）が表示される。さらに、ディスプレイ３を覆うように、フロントタッチパネル４が配置されている。フロントタッチパネル４は、透明なシート状に形成されている。フロントタッチパネル４として、静電容量式、超音波式、感圧式、抵抗膜式、光検知式等、各種方式のタッチパ
ネルが用いられ得る。
【００２３】
キャビネット２の内部には、下端部にマイクロフォン５が配されている。また、キャビネット２の内部には、上端部に通話スピーカ６が配されている。マイクロフォン５は、キャビネット２の正面に形成されたマイク孔５ａを通過した音を受け取る。マイクロフォン５は、入力された音に応じた電気信号を生成する。通話スピーカ６は、音を出力する。出力された音声は、キャビネット２の正面に形成された出力孔６ａを通過してキャビネット２の外に放出される。通話の際には、通信先の機器（携帯電話機等）から受信された受話音声が通話スピーカ６から出力され、ユーザが発した発話音声がマイクロフォン５に入力される。なお、音は、音声、報知音等、様々な音を含む。
【００２４】
キャビネット２の背面には、略長方形の輪郭を有する凹部２ａが形成され、この凹部２ａに、バックタッチパネル７が配置されている。バックタッチパネル７は、フロントタッチパネル４と同様、透明なシート状に形成されている。バックタッチパネル７として、静電容量式、超音波式、感圧式、抵抗膜式、光検知式等、各種方式のタッチパネルが用いられ得る。
【００２５】
キャビネット２の内部には、外部スピーカ８が配されている。キャビネット２の背面には、外部スピーカ８と対向する領域に出力孔８ａが形成されている。外部スピーカ８から出力された音は、出力孔８ａを通じてキャビネット２の外に放出される。
【００２６】
キャビネット２の内部には、右側面近傍の位置に電界発生器９が配置される。キャビネット２の内部には、左側面近傍の位置に電界検知器１０が配置される。電界発生器９は、微弱な電界を発生する。電界発生器９から出力される電界は、キャビネット２の右側面と左側面が、電界を導通する媒体によって接続されると、電界検知器１０により検知される。たとえば、ユーザがキャビネット２の左右の側面を把持すると、把持した手が媒介となって、電界発生器９から出力される電界が電界検知器１０へと伝わる。これにより電界検知器１０は、電界発生器９から出力された電界を検知する。電界検知器１０は、電界を検知した場合に、検知信号を後述の制御部１１に出力する。電界検知器１０は、電界を検出している間、検知信号を制御部１１に出力してもよい。電界検知器１０は、電界が検出されなくなると、検知信号の出力を終了してもよい。
【００２７】
図２は、携帯電話機１の全体構成を示すブロック図である。
【００２８】
携帯電話機１は、制御部１１と、記憶部１２と、画像出力部１３と、フロントタッチ検出部１４と、バックタッチ検出部１５と、音声入力部１６と、音声出力部１７と、音声処理部１８と、キー入力部１９と、通信部２０と、把持検出部２１とを備えている。
【００２９】
記憶部１２は、ＲＯＭ、ＲＡＭ、外部メモリーを含む。記憶部１２には、各種のプログラムが記憶されている。記憶部１２に記憶されるプログラムは、携帯電話機１の各部を制御するための制御プログラムの他、各種アプリケーション（たとえば、電話、電子メール、地図、ゲーム、スケジュール管理、等）を含む。プログラムは、メーカによって携帯電話機１の製造時に記憶部１２に記憶される他、ユーザによって通信網やメモリカード、ＣＤ−ＲＯＭ等の記憶媒体を介して記憶部１２に記憶されてもよい。
【００３０】
記憶部１２には、プログラムの実行の際、一時的に利用または生成されるデータを記憶するワーキング領域も含まれる。
【００３１】
制御部１１は、ＣＰＵを含む。制御部１１は、記憶部１２に記憶されたプログラムに従って、携帯電話機１を構成する各部（記憶部１２、画像出力部１３、フロントタッチ検出
部１４、バックタッチ検出部１５、音声入力部１６、音声出力部１７、音声処理部１８、キー入力部１９、通信部２０、把持検出部２１等）を制御する。また、制御部１１は、記憶部１２に記憶されたプログラムにより、ロック機能の設定および解除を実行することができる。
【００３２】
画像出力部１３は、ディスプレイ３を含む。画像出力部１３は、制御部１１からの制御信号と画像信号に基づき、ディスプレイ３に画像（画面）を表示する。ディスプレイ３は、液晶ディスプレイ、有機ＥＬディスプレイ等、種々のタイプのディスプレイとすることができる。
【００３３】
フロントタッチ検出部１４は、フロントタッチパネル４を含む。フロントタッチ検出部１４は、ディスプレイ３へのユーザによるタッチ操作を、フロントタッチパネル４により検出する。すなわち、フロントタッチ検出部１４は、ユーザがディスプレイ３の領域内を触れた場合に、フロントタッチパネル４を用いて、ユーザが触れた位置（以下、「タッチ位置」と称する）を検出する。フロントタッチ検出部１４は、検出したタッチ位置に基づいて生成された位置信号を制御部１１へ出力する。なお、フロントタッチ検出部１４により生成される位置信号は、タッチ位置を特定できる情報を少なくとも含んでいればよい。
【００３４】
また、フロントタッチパネル４はディスプレイ３の上に配置されていることから、ユーザは、あたかもディスプレイ３を指で触れることで、携帯電話機１を操作しているように感じることができる。そのため、本実施の形態では、フロントタッチパネル４に対するユーザの操作をディスプレイ３に対するユーザの操作として記載する場合がある。たとえば、ユーザがフロントタッチパネル４を指で触れることを、ディスプレイ３を指で触れると記載する場合がある。
【００３５】
ユーザは、ディスプレイ３を指で触れることにより、様々なタッチ操作を行うことができる。タッチ操作は、たとえば、タップ操作、フリック操作、スライド操作、ドラッグ操作等を含む。タップ操作とは、ユーザがディスプレイ３に指を接触させた後、短時間のうちに指をディスプレイ３から離す操作である。フリック操作とは、ユーザがディスプレイ３に指を接触させた後、指で任意の方向に弾く操作である。スライド操作とは、ユーザがディスプレイ３に指を接触させたまま、任意の方向へ指を移動させる操作である。ドラッグ操作は、スライド操作が行われた後、ユーザがディスプレイ３から指を離す操作である。フリック操作、スライド操作およびドラッグ操作は、タッチ位置の移動を伴うタッチ操作である。
【００３６】
たとえば、フロントタッチ検出部１４がタッチ位置を検出した場合に、タッチ位置が検出されてから予め定められた第１時間以内にタッチ位置が検出されなくなると、制御部１１は、タッチ操作をタップ操作と判定する。タッチ位置が検出されてから予め定められた第２時間以内に予め定められた第１距離以上タッチ位置が移動した後、タッチ位置が検出されなくなった場合、制御部１１は、タッチ操作をフリック操作と判定する。タッチ位置が検出された後、予め定めた第２距離以上タッチ位置が移動すると、制御部１１は、タッチ操作をスライド操作と判定する。
【００３７】
なお、以下では、所定時間内に１回だけタップ操作がなされることを便宜上「シングルタップ」と称し、所定時間内に２回タップ操作がなされることを便宜上「ダブルタップ」と称する。
【００３８】
バックタッチ検出部１５は、バックタッチパネル７を含む。バックタッチ検出部１５は、キャビネット２背面の凹部２ａへのユーザによるタッチ操作を、バックタッチパネル７により検出する。すなわち、バックタッチ検出部１５は、ユーザが凹部２ａ内を触れた場
合に、バックタッチパネル７を用いて、タッチ位置を検出する。バックタッチ検出部１５は、検出したタッチ位置に基づいて生成された位置信号を制御部１１へ出力する。なお、バックタッチ検出部１５により生成される位置信号は、タッチ位置を特定できる情報を少なくとも含んでいればよい。
【００３９】
音声入力部１６は、マイクロフォン５を含む。音声入力部１６は、マイクロフォン５からの電気信号を音声処理部１８へ出力する。
【００４０】
音声出力部１７は、通話スピーカ６および外部スピーカ８を含む。音声出力部１７には、音声処理部１８からの電気信号が入力される。音声出力部１７は、通話スピーカ６または外部スピーカ８から音を出力させる。
【００４１】
音声処理部１８は、音声入力部１６からの電気信号にＡ／Ｄ変換等を施し、変換後のデジタルの音声信号を制御部１１へ出力する。音声処理部１８は、制御部１１からのデジタルの音声信号にデコード処理およびＤ／Ａ変換等を施し、変換後の電気信号を音声出力部１７に出力する。
【００４２】
キー入力部１９は、少なくとも１つ以上のハードキーを含む。たとえば、キー入力部１９は、携帯電話機１に電源を投入するための電源キーなどを含む。キー入力部１９は、携帯電話機１に配された各種ハードキー（図示せず）のうち、少なくとも一つのキーが押下されたときに、押下されたハードキーに対応する信号を制御部１１に出力する。
【００４３】
通信部２０は、通話や通信を行うため、信号を変換するための回路、電波を送受信するアンテナ等を備える。通信部２０は、制御部１１から入力される通話や通信のための信号を無線信号に変換し、変換された無線信号を、アンテナを介して基地局や他の通信装置等の通信先へ送信する。さらに、通信部２０は、アンテナを介して受信した無線信号を制御部１１が利用できる形式の信号へ変換し、変換された信号を制御部１１へ出力する。
【００４４】
把持検出部２１は、電界発生器９と電界検知器１０を備えている。把持検出部２１は、電界検知器１０により電界が検知された場合に、検知信号を制御部１１に出力する。なお、制御部１１は、把持検出部２１から検出信号を受信すると、携帯電話機１がユーザにより把持されていると判定する。
【００４５】
本実施の形態の携帯電話機１は、ロック機能を備える。ロック機能とは、ユーザによるフロントタッチパネル４またはハードキーへの誤操作を防止するための機能である。ユーザによるディスプレイ３に対するタッチ操作やハードキーに対する操作が行われないまま所定時間が経過すると、制御部１１はロック機能を設定する。ロック機能が設定されると、ホーム画面等、それまで操作が行われていた画面が閉じられ、ディスプレイ３に対する操作が受け付けない。なお、本実施の形態においては、ロック機能が設定されると、把持検出部２１により携帯電話機１が把持されたことが検知されるまでは、ディスプレイ３に対する一切の操作が受け付けられないものとして説明する。
【００４６】
なお、「操作を受け付けない」とは、受け付ける操作の種類が制限されることを含んでも良い。この場合、ユーザは、ディスプレイ３に対して、予め定められた操作のみ実行できる。制御部１１は、フロントタッチ検出部１４により検出されたユーザの操作が特定の操作に該当するか否かを判断し、特定の操作に該当する場合には特定の操作に対応した処理を実行する。制御部１１は、特定の操作に該当しない場合には、検出された操作を無効な操作として処理する。たとえば、ロック状態が設定された状態においてディスプレイ３に指等が触れると、ディスプレイ３に時計やバッテリー残量、電波の受信状態等を含む汎用的な画面が表示されてもよい。このように、ディスプレイ３に対する一部の操作が受け
付けられても良い。
【００４７】
ところで、ロック機能を解除して、再び、携帯電話機１を使用する場合、ユーザは、たとえば、特定のハードキー等を操作して、ロック状態を解除するための解除画面をディスプレイ３に表示させ、そして解除画面に対して所定の解除操作を行う。ところが、たとえば、片方の手が塞がっており、他方の手のみしか使用できないような場合、ユーザは、他方の手のみで、携帯電話機１の把持と、解除操作の入力とを同時に行う必要がある。しかしながら、携帯電話機１の持ち方によっては、片方の手のみによって、解除画面への操作を円滑に行えないことが起こり得る。この場合、ユーザは、解除操作が円滑に行えるよう、携帯電話機１を所望の状態に持ち変える必要がある。しかしながら、このような作業は、ユーザにとってかなり煩雑である。
【００４８】
そこで、本実施の形態では、携帯電話機１の前面に配置されたフロントタッチパネル４の他、携帯電話機１の背面に配置されたバックタッチパネル７をも用いることにより、ロック状態の解除操作が行われる。ユーザは、適宜、バックタッチパネル７を用いることにより、片手であっても円滑に、ロック状態を解除するための操作を行うことができる。
【００４９】
ロック解除時の処理は、図２の制御部１１によって行われる。すなわち、記憶部１２に保持されたプログラムによって、制御部１１にロック機能を解除するための機能が付与され、この機能によって、ロック解除処理が実行される。なお、本実施例においては、ロック機能が設定された状態をロック状態と称し、ロック状態の解除とは、ロック機能の設定が解除されること示す。
【００５０】
以下、制御部１１におけるロック解除処理の具体的実施例について説明する。
【００５１】
＜実施例１＞
本実施例では、ロック状態において、携帯電話機１が把持されたことを把持検出部２１が検知すると、制御部１１は、フロントタッチパネル４とバックタッチパネル７に対する操作を可能とする。この状態において、フロントタッチパネル４またはバックタッチパネル７が所定の操作を検出すると、画像出力部１３は、ロック状態を解除するための画面をディスプレイ３に表示する。そして、制御部１１は、表示された画面に対して実行された操作が所定の操作と判定すると、ロック状態を解除する。ユーザは、ロック状態を解除するための画面に対する操作を、フロントタッチパネル４のバックタッチパネル７を用いて実行することができる。つまり、制御部１１は、フロントタッチパネル４またはバックタッチパネル７から出力された信号を、画面に対する操作と判断する。
【００５２】
なお、本実施例において、図５（ａ）、（ｂ）に示すロック画面２が、特許請求の範囲に記載の「解除画面」に相当する。また、フロントタッチパネル４に対するフリックの操作またはドラッグの操作が特許請求の範囲に記載の「第１の操作」に相当する。バックタッチパネル７に対するフリックの操作またはドラッグの操作が特許請求の範囲に記載の「第２の操作」に相当する。フロントタッチパネル４に対するシングルタップの操作が特許請求の範囲に記載の「第３の操作」に相当する。バックタッチパネル７に対するダブルタップの操作が特許請求の範囲に記載の「第４の操作」に相当する。ただし、特許請求の範囲に記載した「解除画面」、「第１の操作」、「第２の操作」、「第３の操作」および「第４の操作」は本実施例の内容に限定されない。
【００５３】
図３（ａ）は、ロック解除時の基本的な処理フローを示す図である。
【００５４】
ロック状態において、制御部１１は、把持検出部２１によりユーザにより携帯電話機１が把持されたことが検出されたか否かを判定する（Ｓ１１）。把持検出部２１が、携帯電
話機１が把持されたことを検出すると（Ｓ１１：ＹＥＳ）、制御部１１は、ロック解除処理を開始する（Ｓ１２）。その後、ロック解除処理においてロック解除が完了するまでの間に、把持検出部２１が、携帯電話機１に対する把持を検出しなくなると（Ｓ１３：ＹＥＳ）、制御部１１は、ロック解除処理を終了し（Ｓ１５）、携帯電話機１のロック状態を維持する（Ｓ１６）。
【００５５】
なお、Ｓ１３において、携帯電話機１が把持されている間に（Ｓ１３：ＮＯ）、Ｓ１４において、タイムアウトが検出されると（Ｓ１４：ＹＥＳ）、ロック解除処理が終了され（Ｓ１５）、携帯電話機１がロック状態に再設定される（Ｓ１６）。ここで、Ｓ１４においてタイムアウトを検出するためのタイマーは、把持が検出されたときに起動される。また、タイマーが起動された後、フロントタッチパネル４またはバックタッチパネル７に対して何らかのタッチ操作が検出されると、タイマーがリセットされ、再度、時間の計測が開始される。
【００５６】
図３（ｂ）は、図３（ａ）のＳ１２において開始されるロック解除処理を示すフローチャートである。
【００５７】
図３（ａ）のＳ１１において、把持検出部２１が、携帯電話機１が把持されたことを検出すると、制御部１１は、フロントタッチパネル４およびバックタッチパネル７に対する操作を受付可能とし、さらに、画像出力部１３を制御して、ディスプレイ３にロック画面１を表示させる（Ｓ１０１）。
【００５８】
図４（ａ）は、ロック解除処理が開始される前のディスプレイ３に表示される画面の一例を示す図、図４（ｂ）は、図３（ｂ）のＳ１０１においてロック画面１が表示されたときのディスプレイ３を示す図である。
【００５９】
図４（ａ）に示すように、ロック状態において、携帯電話機１がユーザにより把持されるまでの間は、画像出力部１３の駆動が停止されている。そのため、ディスプレイ３は、画面が閉じられた状態にある。なお、画面が閉じられた状態とは、ディスプレイ３に何も画像を表示させない状態、ディスプレイ３のバックライトをオフにする状態等を含む。この状態において、携帯電話機１が把持されると、図４（ｂ）に示すように、ディスプレイ３にロック画面１が表示される。図４（ｂ）に示すように、ロック画面１は、上端部に、バッテリー残量、電波の強度および現在時刻を含むピクト領域ＰＣを含み、その他の領域は、図４（ａ）に比べてやや明るく表示される。
【００６０】
図３（ｂ）に戻り、こうしてディスプレイ３にロック画面１を表示した後、制御部１１は、フロントタッチパネル４にシングルタップの操作がなされたか（Ｓ１０２）、あるいは、バックタッチパネル７にダブルタップの操作がなされたか（Ｓ１０４）を判定する。なお、Ｓ１０４では、制御部１１は、所定時間内にタップ操作が２回検出された場合（本来のダブルタップ）の他、所定時間内に３回以上のタップ操作が検出された場合にも、ダブルタップの操作が行われたと判定する。
【００６１】
ユーザが、フロントタッチパネル４に対してシングルタップの操作を行うと（Ｓ１０２：ＹＥＳ）、制御部１１は、ディスプレイ３上のシングルタップが行われた位置に、ロック画面２を表示する（Ｓ１０３）。また、ユーザが、バックタッチパネル７に対してダブルタップの操作を行うと（Ｓ１０４：ＹＥＳ）、制御部１１は、ディスプレイ３上の中央位置に、ロック画面２を表示する（Ｓ１０５）。
【００６２】
図５（ａ）、（ｂ）は、ロック画面２の構成を示す図である。図５（ａ）は、フロントタッチパネル４に対してシングルタップの操作が行われたときにディスプレイ３に表示さ
れるロック画面２の一例であり、図５（ｂ）は、バックタッチパネル７に対してダブルタップの操作が行われたときにディスプレイ３に表示されるロック画面２の一例である。
【００６３】
図５（ａ）、（ｂ）に示すように、ロック画面２には、鍵の形状を有し、ロック解除に用いられるオブジェクト（以下、「鍵オブジェクト」という）１０１と、ロック解除後に移行する画面を特定するオブジェクト（以下、「画面オブジェクト」という）１０２ａ〜１０２ｄが配置されている。鍵オブジェクト１０１の左右に２つの画面オブジェクト１０２ａ、１０２ｃが配置され、鍵オブジェクト１０１の上下に２つの画面オブジェクト１０２ｂ、１０２ｄが配置される。
【００６４】
画面オブジェクト１０２ａ〜１０２ｄには、それぞれ、ロック解除後に開始される機能が対応付けられている。たとえば、電話、電子メール、カメラ、インターネット等の機能が画面オブジェクト１０２ａ〜１０２ｄに対応付けられている。ロック解除時に、後述のように、画面オブジェクト１０２ａ〜１０２ｄの何れか一つが選択されると、当該画面オブジェクトに対応付けられた機能が開始され、当該機能の起動時に最初に表示される画面がディスプレイ３に表示される。
【００６５】
ユーザは、画面オブジェクト１０２ａ〜１０２ｄにどのような機能を対応付けるかを適宜設定できる。本実施例では、一例として、画面オブジェクト１０２ａ〜１０２ｄに対して、それぞれ、電話、電子メール、ホーム（ホーム画面）およびカメラの機能が対応付けられている。
【００６６】
また、ロック画面２には、鍵オブジェクト１０１を中心として所定の径を有する円形の領域（以下、「無効領域」と称する）Ｒ１が設定される。無効領域Ｒ１の外側の領域は、４つの領域（以下、「解除領域」と称する）Ｒ２ａ〜Ｒ２ｄに区分されている。解除領域Ｒ２ａ〜Ｒ２ｄには、それぞれ、画面オブジェクト１０２ａ〜１０２ｄが含まれている。図５（ｂ）に示すように、解除領域Ｒ２ａ〜Ｒ２ｄは、長方形の領域の頂点を結ぶ区分線によって互いに区分される。無効領域Ｒ１と区分線の関係は、鍵オブジェクト１０１がディスプレイ３上のどの位置に設定されても同一とされる。
【００６７】
なお、図５（ａ）、（ｂ）において、無効領域Ｒ１の外縁を示す破線と、解除領域Ｒ２ａ〜Ｒ２ｄの境界を示す破線は、便宜上、図示されているが、実際には、これらの破線はロック画面２には表示されない。
【００６８】
図４（ｂ）に示すロック画面１が表示された状態において、ユーザがフロントタッチパネル４（ディスプレイ３）に対しシングルタップの操作を行うと、たとえば、図５（ａ）に示すように、シングルタップが行われた位置に鍵オブジェクト１０１が置かれるように、ロック画面２が表示される。図５（ａ）の例では、ディスプレイ３の中心から左斜め下にずれた位置においてシングルタップが行われ、この位置に鍵オブジェクト１０１が位置付けられている。つまり、制御部１１は、フロントタッチパネル４により検出された信号に基づいて、ユーザによる操作がシングルタップか否かを判定する。そして、制御部１１は、シングルタップと判定すると、シングルタップされた位置に鍵オブジェクト１０１が配置されたロック画面２を生成する。制御部１１は、生成されたロック画面２を、画像出力部１３を介してディスプレイ３に表示する。
【００６９】
図４（ｂ）に示すロック画面１が表示された状態において、ユーザがバックタッチパネル７に対しダブルタップの操作を行うと、図５（ｂ）に示すように、ロック画面２の表示領域の中心位置に鍵オブジェクト１０１が置かれるように、ロック画面２が構成される。つまり、制御部１１は、バックタッチパネル７により検出された信号に基づいて、ユーザによる操作がダブルタップか否かを判定する。制御部１１は、ダブルタップと判定すると
、中心位置に鍵オブジェクト１０１が配置されたロック画面２を生成する。制御部１１は、生成されたロック画面２を、画像出力部１３を介してディスプレイ３に表示する。
【００７０】
こうして表示されたロック画面２に対してユーザがロック解除操作を行うことにより、ロック状態が解除される。すなわち、ユーザは、フロントタッチパネル４またはバックタッチパネル７に対する操作により、鍵オブジェクト１０１を解除領域１０２ａ〜１０２ｄの何れかに進入させることによって、ロック状態を解除することができる。
【００７１】
フロントタッチパネル４に対する解除操作は、以下のように行われる。
【００７２】
すなわち、ユーザは、鍵オブジェクト１０１にタッチし、その後、鍵オブジェクト１０１が解除領域Ｒ２ａ〜Ｒ２ｄの何れか一つに進入するまで、鍵オブジェクト１０１に対しドラッグ操作を行う。あるいは、ユーザは、鍵オブジェクト１０１にタッチし、その後、鍵オブジェクト１０１が解除領域Ｒ２ａ〜Ｒ２ｄの何れか一つに進入するよう、鍵オブジェクト１０１に対しフリック操作を行う。これらの操作が適正に行われると、ロック状態が解除される。
【００７３】
なお、フリック操作による解除の場合、たとえば、フリック操作時に指がフロントタッチパネル４に接触し続けた距離（以下、「フリック距離」という）が所定の閾値を超えたときに、鍵オブジェクト１０１が無効領域Ｒ１を抜けたと判定される。フリック距離が閾値を超えない場合、鍵オブジェクト１０１は無効領域Ｒ１を抜けたと判定されず、当該フリック操作は、無効とされる。フリック距離が閾値を超えた場合、当該フリック操作は有効とされ、解除領域Ｒ２ａ〜Ｒ２ｄのうち、フリック操作の方向にある解除領域に鍵オブジェクト１０１が進入したと判定される。つまり、制御部１１は、フロントタッチパネル４からの出力に基づきフリック距離を算出する。そして、制御部１１は、算出したフリック距離と所定の閾値とを比較する。制御部１１は、フリック距離が所定の閾値以下の場合は、ユーザによるタッチ操作を無効と判断する。制御部１１は、フリック距離が所定の閾値を超える場合には、ユーザによるタッチ操作を有効と判断する。制御部１１は、タッチ操作を有効と判断した場合に、タッチ位置の移動方向を検出する。制御部１１は、移動方向の延長線上にある解除領域が解除領域Ｒ２ａ〜Ｒ２ｄのうち、何れの解除領域であるかと特定する。制御部１１は、解除領域を特定したのちは、ロック機能の設定を解除し、特定した解除領域に対応づけられたアプリケーションを実行する。なお、制御部１１は、タッチ操作の開始位置の座標位置と、タッチ操作の終点位置の座標位置とを用いて移動方向を検出してもよい。なお、制御部１１は、フリック操作を検出した場合に、鍵オブジェクト１０１の移動量を算出し、鍵オブジェクト１０１の到達地点の座標位置を計算してもよい。この場合に、制御部１１は、到達地点の座標位置が無効領域Ｒ１内にあるのか、何れかの解除領域内にあるのかを判断してもよい。制御部１１は、到達地点の座標位置が無効領域Ｒ１にある場合は、フリック操作を無効とし、何れかの解除領域内にある場合には、ロック状態を解除してもよい。制御部１１は、ロック状態を解除した後は、到達地点の座標位置が含まれる解除領域に関連づけられたアプリケーションを実行してもよい。
【００７４】
また、ドラッグ操作による解除の場合、ドラッグ操作の終点位置が無効領域Ｒ１内にあると、当該ドラッグ操作は無効とされる。また、ドラッグ操作の終点位置が無効領域Ｒ１を抜けて、解除領域Ｒ２ａ〜Ｒ２ｄの何れかに含まれると、当該ドラッグ操作は有効とされ、ドラッグ操作の終点位置を含む解除領域に鍵オブジェクト１０１が移動されたと判定される。つまり制御部１１は、ユーザによるタッチ操作がドラッグ操作と判定した場合に、フロントタッチパネル４からの出力に基づき、ドラッグ操作の終点位置の座標位置を特定する。制御部１１は、終点位置の座標が、何れかの解除領域内にあるのか、または無効領域Ｒ１内にあるのかを判断する。制御部１１は、終点位置の座標位置が無効領域Ｒ１内にあると判断した場合には、ユーザにより実行されたタッチ操作を無効とする。制御部１
１は、終点位置の座標位置が何れかの解除領域内に含まれるときは、ロック状態を解除する。制御部１１は、ロック状態を解除した後は、終点位置の座標位置が含まれる解除領域に関連づけられたアプリケーションを実行する。
【００７５】
なお、フロントタッチパネル４に対する解除操作では、最初に、鍵オブジェクト１０１がタッチされる必要がある。すなわち、鍵オブジェクト１０１以外の位置にタッチしてドラッグ操作やフリック操作が行われても、これらの操作は、ロック解除には無効な操作として扱われる。
【００７６】
バックタッチパネル７に対する解除操作は、以下のように行われる。
【００７７】
すなわち、ユーザは、バックタッチパネル７の任意の位置にタッチし、所望の方向に、ドラッグ操作またはフリック操作を行う。この場合、バックタッチパネル７に対する最初のタッチ位置が、鍵オブジェクト１０１の位置に対応付けられる。その後のバックタッチパネル７に対するドラッグ操作およびフリック操作は、鍵オブジェクト１０１に対するドラッグ操作およびフリック操作として取得される。こうして取得されたドラッグ操作およびフリック操作によって鍵オブジェクト１０１が解除領域Ｒ２ａ〜Ｒ２ｄの何れかに進入すると、ロック状態が解除される。鍵オブジェクト１０１が解除領域Ｒ２ａ〜Ｒ２ｄの何れかに進入したか否かの判定は、フロントタッチパネル４に対する操作の際の判定と同様にして行われてもよい。たとえば、制御部１１は、ユーザによりタッチされたバックタッチパネル７上の座標位置と、鍵オブジェクト１０１が表示されている座標位置とを関連づけることにより、バックタッチパネル７上の座標位置に対して行われるドラッグ操作およびフリック操作を、鍵オブジェクト１０１が表示されている座標位置に対して行われるドラッグ操作およびフリック操作として扱うことができる。互いの座標位置を関連づけることにより、制御部１１は、たとえば、バックタッチパネル７上でフリック操作が実行された場合には、バックタッチパネル７上でのタッチ操作が開始された座標、およびタッチ操作が終了した座標位置を取得する。そして、制御部１１は、２つの座標位置からフリック距離を算出する。制御部１１は、算出されたフリック距離が所定の閾値以下の場合は、鍵オブジェクト１０１は、無効領域Ｒ１内に含まれると判定する。制御部１１は、算出されたフリック距離が所定の閾値よりも大きい場合は、２つの座標位置から移動方向を特定する。制御部１１は、移動方向を特定すると、鍵オブジェクト１０１の座標位置と移動方向とを用いて、移動方向の延長線上にある解除領域が解除領域Ｒ２ａ〜Ｒ２ｄのうち、何れの解除領域であるかと特定する。制御部１１は、解除領域を特定したのちは、ロック機能の設定を解除し、特定した解除領域に対応づけられたアプリケーションを実行する。なお、制御部１１は、バックタッチパネル７にてフリック操作を検出した場合に、検出したフリック操作に含まれる情報に基づき鍵オブジェクト１０１の移動量を算出し、鍵オブジェクト１０１の到達地点の座標位置を計算してもよい。この場合に、制御部１１は、到達地点の座標位置が無効領域Ｒ１内にあるのか、何れかの解除領域内にあるのかを判断してもよい。制御部１１は、到達地点の座標位置が無効領域Ｒ１にある場合は、フリック操作を無効とし、何れかの解除領域内にある場合には、ロック状態を解除してもよい。制御部１１は、ロック状態を解除した後は、到達地点の座標位置が含まれる解除領域に関連づけられたアプリケーションを実行してもよい。
【００７８】
以上のようにして、ロック状態が解除されると、鍵オブジェクト１０１が進入した解除領域に含まれる画面オブジェクトの機能が開始され、当該機能が開始されたときに最初に表示される画面が、ディスプレイ３に表示される。
【００７９】
図６は、フロントタッチパネル４を用いた解除処理を示すフローチャートである。
【００８０】
図５（ａ）または図５（ｂ）に示すロック画面２が表示された状態において、ユーザが
、フロントタッチパネル４上の鍵オブジェクト１０１に対応する位置をタッチすると（Ｓ１１１：ＹＥＳ）、制御部１１は、フロントタッチパネル４に対してドラッグ操作が行われたか否かを判定する（Ｓ１１２）。
【００８１】
ドラッグ操作が行われた場合（Ｓ１１２:ＹＥＳ）、制御部１１は、ドラッグ操作の終点位置が解除領域Ｒ２ａ〜Ｒ２ｄの何れかに進入したか否かを判定する（Ｓ１１３）。ドラッグ操作の終点位置が解除領域Ｒ２ａ〜Ｒ２ｄの何れにも進入していない場合、すなわち、ドラッグ操作の終点位置が無効領域Ｒ１内に含まれる場合（Ｓ１１３：ＮＯ）、制御部１１は、当該ドラッグ操作を無効として、処理をＳ１１１に戻す。他方、ドラッグ操作の終点位置が解除領域Ｒ２ａ〜Ｒ２ｄの何れかに進入した場合（Ｓ１１３：ＹＥＳ）、制御部１１は、ドラッグ操作の終点位置を含む解除領域に含まれる画面オブジェクトに対応する機能を開始し、当該機能の開始時に最初に表示される画面を表示面３に表示する（Ｓ１１４）。
【００８２】
Ｓ１１２の判定がＮＯであると、制御部１１は、フロントタッチパネル４に対してフリック操作が行われたか否かを判定する（Ｓ１１５）。
【００８３】
フリック操作が行われた場合（Ｓ１１５:ＹＥＳ）、制御部１１は、上記のように、当該フリック操作によって鍵オブジェクト１０１が解除領域Ｒ２ａ〜Ｒ２ｄの何れかに進入したか否かを判定する（Ｓ１１６）。フリック操作によって鍵オブジェクト１０１が解除領域Ｒ２ａ〜Ｒ２ｄの何れにも進入しないと判定した場合、すなわち、鍵オブジェクト１０１が無効領域Ｒ１を抜けないと判定した場合（Ｓ１１６：ＮＯ）、制御部１１は、当該フリック操作を無効として、処理をＳ１１１に戻す。他方、当該フリック操作によって鍵オブジェクト１０１が解除領域Ｒ２ａ〜Ｒ２ｄの何れかに進入したと判定した場合（Ｓ１１６：ＹＥＳ）、制御部１１は、鍵オブジェクト１０１が進入した解除領域に含まれる画面オブジェクトに対応する機能を開始し、当該機能の開始時に最初に表示される画面をディスプレイ３に表示する（Ｓ１１４）。
【００８４】
Ｓ１１２の判定がＮＯであり、且つ、Ｓ１１５の判定がＮＯの場合、制御部１１は、フロントタッチパネル４に対するタッチが解除されたか否かを判定する（Ｓ１１７）。フロントタッチパネル４に対するタッチが解除された場合（Ｓ１１７：ＹＥＳ）、制御部１１は、処理をＳ１１１に戻し、再度、フロントタッチパネル４がタッチされるのを待つ。フロントタッチパネル４に対するタッチが解除されていない場合（Ｓ１１７：ＮＯ）、制御部１１は、処理をＳ１１２に戻し、ユーザによりドラッグ操作またはフリック操作が行われるのを待つ。
【００８５】
図７は、バックタッチパネル７を用いた解除処理を示すフローチャートである。
【００８６】
図５（ａ）または図５（ｂ）に示すロック画面２が表示された状態において、ユーザが、バックタッチパネル７上の任意の位置をタッチすると（Ｓ１２１：ＹＥＳ）、制御部１１は、タッチされた位置を、ロック画面２上の鍵オブジェクト１０１の位置に対応付け、その後のバックタッチパネル７に対するドラッグ操作およびフリック操作を、鍵オブジェクト１０１に対するドラッグ操作およびフリック操作として取得する（Ｓ１２２）。
【００８７】
しかる後、制御部１１は、バックタッチパネル７に対してドラッグ操作が行われたか否かを判定する（Ｓ１２３）。ドラッグ操作が行われた場合（Ｓ１２３:ＹＥＳ）、制御部１１は、ドラッグ操作によって移動される鍵オブジェクト１０１の移動終点位置が解除領域Ｒ２ａ〜Ｒ２ｄの何れかに進入したか否かを判定する（Ｓ１２４）。
【００８８】
ドラッグ操作による鍵オブジェクト１０１の移動終点位置が解除領域Ｒ２ａ〜Ｒ２ｄの
何れにも進入していない場合、すなわち、鍵オブジェクト１０１の移動終点位置が無効領域Ｒ１内に含まれる場合（Ｓ１２４：ＮＯ）、制御部１１は、当該ドラッグ操作を無効として、処理をＳ１１１に戻す。他方、ドラッグ操作による鍵オブジェクト１０１の移動終点位置が解除領域Ｒ２ａ〜Ｒ２ｄの何れかに進入した場合（Ｓ１２４：ＹＥＳ）、制御部１１は、鍵オブジェクト１０１の移動終点位置を含む解除領域に含まれる画面オブジェクトに対応する機能を開始し、当該機能の開始時に最初に表示される画面をディスプレイ３に表示する（Ｓ１２５）。
【００８９】
Ｓ１２３の判定がＮＯであると、制御部１１は、バックタッチパネル７に対してフリック操作が行われたか否かを判定する（Ｓ１２６）。フリック操作が行われた場合（Ｓ１２６:ＹＥＳ）、制御部１１は、上記のように、当該フリック操作のフリック距離に基づいて、鍵オブジェクト１０１が無効領域Ｒ１を抜けたかを判定し、さらに、フリック操作の方向によって、鍵オブジェクト１０１の移動方向を判定する。そして、これらの判定に基づいて、鍵オブジェクト１０１が解除領域Ｒ２ａ〜Ｒ２ｄの何れかに進入したか否かを判定する（Ｓ１２７）。
【００９０】
当該フリック操作によって鍵オブジェクト１０１が解除領域Ｒ２ａ〜Ｒ２ｄの何れにも進入しないと判定した場合、すなわち、鍵オブジェクト１０１が無効領域Ｒ１を抜けないと判定した場合（Ｓ１２７：ＮＯ）、制御部１１は、当該フリック操作を無効として、処理をＳ１１１に戻す。他方、当該フリック操作によって鍵オブジェクト１０１が解除領域Ｒ２ａ〜Ｒ２ｄの何れかに進入したと判定した場合（Ｓ１２７：ＹＥＳ）、制御部１１は、鍵オブジェクト１０１が進入した解除領域に含まれる画面オブジェクトに対応する機能を開始し、当該機能の開始時に最初に表示される画面をディスプレイ３に表示する（Ｓ１２５）。
【００９１】
Ｓ１２３の判定がＮＯであり、且つ、Ｓ１２６の判定がＮＯの場合、制御部１１は、バックタッチパネル７に対するタッチが解除されたか否かを判定する（Ｓ１２８）。バックタッチパネル７に対するタッチが解除された場合（Ｓ１２８：ＹＥＳ）、制御部１１は、処理をＳ１１１に戻し、再度、フロントタッチパネル４またはバックタッチパネル７がタッチされるのを待つ。バックタッチパネル７に対するタッチが解除されていない場合（Ｓ１２８：ＮＯ）、制御部１１は、処理をＳ１２３に戻し、ユーザによりバックタッチパネル７に対するドラッグ操作またはフリック操作が行われるのを待つ。
【００９２】
図８（ａ）、（ｂ）は、ロック画面２が表示された状態において、フロントタッチパネル４に対して解除操作が行われたときの画面の遷移を示す図である。
【００９３】
図８（ａ）に示すようにディスプレイ３にロック画面２が表示されている状態において、ユーザが、フロントタッチパネル４上の鍵オブジェクト１０１の位置にタッチし、その後、指が解除領域Ｒ２ｃに進入するまでドラッグ操作を行うと、制御部１１は、図６のＳ１１１〜Ｓ１１４の処理により、ロック状態を解除する。この場合、当該ドラッグ操作の終点位置が解除領域Ｒ２ｃに含まれるため、制御部１１は、図８（ｂ）に示すように、解除領域Ｒ２ｃに含まれる画面オブジェクト１０２ｃに対応する画面であるホーム画面を、ディスプレイ３に表示する。
【００９４】
ホーム画面は、各種のアプリケーション対応するアイコン１０３を含む。ユーザにより、何れかアイコン１０３に対してタップ操作がなされると、そのアイコン１０３に対応するアプリケーションが起動する。また、ホーム画面は、操作キー群１０４を含む。操作キー群１０４は、設定キー１０４ａ、ホームキー１０４ｂ、およびバックキー１０４ｃから構成されている。設定キー１０４ａは、主に、各種設定を行う設定画面をディスプレイ３に表示させるためのキーである。ホームキー１０４ｂは、主に、ディスプレイ３の表示を
他の画面からホーム画面に移行させるためのキーである。バックキー１０４ｃは、主に、実行された処理を１ステップ前の処理に戻すためのキーである。
【００９５】
図９（ａ）〜（ｃ）は、ロック画面２が表示された状態において、バックタッチパネル７に対して解除操作が行われたときの画面の遷移を示す図である。
【００９６】
図９（ａ）に示すようにディスプレイ３にロック画面２が表示されている状態において、図９（ｂ）に示すように、ユーザが、バックタッチパネル７にタッチし、その後、鍵オブジェクト１０１が解除領域Ｒ２ｃに進入するまでドラッグ操作を行うと、制御部１１は、図７のＳ１１１〜Ｓ１２５の処理により、ロック状態を解除する。この場合、当該ドラッグ操作による鍵オブジェクト１０１の移動終点位置が解除領域Ｒ２ｃに含まれるため、制御部１１は、図９（ｃ）に示すように、解除領域Ｒ２ｃに含まれる画面オブジェクト１０２ｃに対応する画面であるホーム画面を、ディスプレイ３に表示する。
【００９７】
なお、図８（ａ）、（ｂ）および図９（ａ）〜（ｃ）では、ドラッグ操作により鍵オブジェクト１０１を解除領域Ｒ２ｃに移動させた場合の画面の遷移を示したが、フリック操作により鍵オブジェクト１０１を解除領域Ｒ２ｃに移動させた場合も、これと同様に、画面が遷移する。また、ドラッグ操作またはフリック操作によって鍵オブジェクト１０１を解除領域Ｒ２ａ、Ｒ２ｂまたはＲ２ｃに移動させた場合も、同様にロック状態が解除され、鍵オブジェクト１０１の移動終点位置を含む解除領域に対応する機能の画面が表示される。たとえば、鍵オブジェクト１０１が解除領域Ｒ２ａに移動されると、電話機能の初期画面であるプッシュボタンを含む画面が表示され、鍵オブジェクト１０１が解除領域Ｒ２ｂに移動されると、電子メール機能の初期画面である受信履歴の一覧画面が表示され、鍵オブジェクト１０１が解除領域Ｒ２ｄに移動されると、カメラ機能の画面である撮像画面が表示される。
【００９８】
以上、本実施例によれば、フロントタッチパネル４に対する操作のみならず、バックタッチパネル７に対する操作によっても、ロック状態を解除できるため、ユーザは、フロントタッチパネル４とバックタッチパネル７のうち、携帯電話機１の持ち方に適する方のタッチパネルを用いて解除操作を行うことができる。よって、ユーザは、携帯電話機１の持ち方に拘わらず円滑にロック解除のための操作を行うことができる。
【００９９】
また、本実施例によれば、鍵オブジェクト１０１を解除領域Ｒ２ａ〜Ｒ２ｄに移動させるといった簡便な操作によりロック状態を解除することができる。また、解除後に移行する画面が解除領域Ｒ２ａ〜Ｒ２ｄに対応付けられているため、ユーザは、鍵オブジェクト１０１の移動方向を変えるのみで、ロック解除後に表示させたい画面を選択することができる。
【０１００】
また、本実施例によれば、ロック画面１が表示された状態において、フロントタッチパネル４に対してシングルタップの操作が行われると、シングルタップの操作位置に鍵オブジェクト１０１が位置付けられる。このため、ユーザは、シングルタップの後に、指の位置を変えることなく鍵オブジェクト１０１にタッチすることができ、その後の解除操作を円滑に進めることができる。
【０１０１】
また、本実施例によれば、ロック画面１が表示された状態において、バックタッチパネル７に対してダブルタップの操作が行われると、ディスプレイ３の中央位置に鍵オブジェクト１０１が位置付けられる。このため、鍵オブジェクト１０１と、画面オブジェクト１０２ａ〜１０２ｄを画面上にバランス良く配置することができる。
【０１０２】
また、本実施例によれば、把持検出部２１により携帯電話機１が把持されたことが検出
されると、ロック画面１が表示されるため、ロック解除を開始させるために、ボタンの操作等、特別な初期操作を行う必要がない。ロック解除の際、ユーザは、携帯電話機１を手に持ち、その後、フロントタッチパネル４またはバックタッチパネル７を操作するといった一連の操作により円滑に、ロック状態を解除することができる。
【０１０３】
＜実施例２＞
上記実施例１では、ロック画面１が表示された状態において、バックタッチパネル７に対しダブルタップの操作がなされると、ロック画面２が表示され、その後、バックタッチパネル７に対しドラッグ操作またはフリック操作が行われると、ロック状態が解除された。これに対し、本実施例では、ロック画面１が表示された状態において、バックタッチパネル７に対しドラッグ操作またはフリック操作が行われると、ロック状態が解除される。
【０１０４】
図１０（ａ）は、本実施例におけるロック解除処理を示すフローチャートである。
【０１０５】
図１０（ａ）において、Ｓ１０１〜Ｓ１０３は、図３（ｂ）のフローチャートと同じである。ただし、本実施例では、Ｓ１０１において表示されるロック画面１の構成が、上記実施例１に比べて相違している。すなわち、本実施例では、図１０（ｂ）に示すように、ロック画面１において、図５（ｂ）に示すロック画面２と同様の構成の画面が表示される。図１０（ｂ）のロック画面１では、鍵オブジェクト１０１と画面オブジェクト１０２ａ〜１０２ｄが半透明とされる等、図５（ｂ）に示すロック画面２に比べて明瞭さを低下させた状態で、鍵オブジェクト１０１と画面オブジェクト１０２ａ〜１０２ｄが表示される。
【０１０６】
ロック画面１が表示された状態において、バックタッチパネル７がタッチされると（Ｓ１３１：ＹＥＳ）、制御部１１は、図１１に示す処理を行う。すなわち、制御部１１は、タッチされた位置を、ロック画面２上の鍵オブジェクト１０１の位置に対応付け、その後のバックタッチパネル７に対するドラッグ操作およびフリック操作を、鍵オブジェクト１０１に対するドラッグ操作およびフリック操作として取得する（Ｓ１３２）。
【０１０７】
しかる後、制御部１１は、バックタッチパネル７に対してドラッグ操作が行われたか否かを判定する（Ｓ１３３）。ドラッグ操作が行われた場合（Ｓ１３３:ＹＥＳ）、制御部１１は、ドラッグ操作によって移動される鍵オブジェクト１０１の移動終点位置が解除領域Ｒ２ａ〜Ｒ２ｄの何れかに進入したか否かを判定する（Ｓ１３４）。
【０１０８】
ドラッグ操作による鍵オブジェクト１０１の移動終点位置が解除領域Ｒ２ａ〜Ｒ２ｄの何れにも進入していない場合、すなわち、鍵オブジェクト１０１の移動終点位置が無効領域Ｒ１内に含まれる場合（Ｓ１３４：ＮＯ）、制御部１１は、当該ドラッグ操作を無効として、処理を図１０（ａ）のＳ１０２に戻す。他方、ドラッグ操作による鍵オブジェクト１０１の移動終点位置が解除領域Ｒ２ａ〜Ｒ２ｄの何れかに進入した場合（Ｓ１３４：ＹＥＳ）、制御部１１は、鍵オブジェクト１０１の移動終点位置を含む解除領域に含まれる画面オブジェクトに対応する機能を開始し、当該機能の開始時に最初に表示される画面をディスプレイ３に表示する（Ｓ１３５）。
【０１０９】
Ｓ１３３の判定がＮＯであると、制御部１１は、バックタッチパネル７に対してフリック操作が行われたか否かを判定する（Ｓ１３６）。フリック操作が行われた場合（Ｓ１３６:ＹＥＳ）、制御部１１は、上記のように、当該フリック操作のフリック距離に基づいて、鍵オブジェクト１０１が無効領域Ｒ１を抜けたかを判定し、さらに、フリック操作の方向によって、鍵オブジェクト１０１の移動方向を判定する。そして、これらの判定に基づいて、鍵オブジェクト１０１が解除領域Ｒ２ａ〜Ｒ２ｄの何れかに進入したか否かを判定する（Ｓ１３７）。
【０１１０】
当該フリック操作によって鍵オブジェクト１０１が解除領域Ｒ２ａ〜Ｒ２ｄの何れにも進入しないと判定した場合、すなわち、鍵オブジェクト１０１が無効領域Ｒ１を抜けないと判定した場合（Ｓ１３７：ＮＯ）、制御部１１は、当該フリック操作を無効として、処理を図１０（ａ）のＳ１０２に戻す。他方、当該フリック操作によって鍵オブジェクト１０１が解除領域Ｒ２ａ〜Ｒ２ｄの何れかに進入したと判定した場合（Ｓ１３７：ＹＥＳ）、制御部１１は、鍵オブジェクト１０１が進入した解除領域に含まれる画面オブジェクトに対応する機能を開始し、当該機能の開始時に最初に表示される画面をディスプレイ３に表示する（Ｓ１３５）。
【０１１１】
Ｓ１３３の判定がＮＯであり、且つ、Ｓ１３６の判定がＮＯの場合、制御部１１は、バックタッチパネル７に対するタッチが解除されたか否かを判定する（Ｓ１３８）。バックタッチパネル７に対するタッチが解除された場合（Ｓ１３８：ＹＥＳ）、制御部１１は、処理を図１０（ａ）のＳ１０２に戻し、再度、フロントタッチパネル４またはバックタッチパネル７がタッチされるのを待つ。バックタッチパネル７に対するタッチが解除されていない場合（Ｓ１３８：ＮＯ）、制御部１１は、処理をＳ１３３に戻し、ユーザによりバックタッチパネル７に対するドラッグ操作またはフリック操作が行われるのを待つ。
【０１１２】
図１２（ａ）〜（ｃ）は、ロック画面１が表示された状態において、バックタッチパネル７に対して解除操作が行われたときの画面の遷移を示す図である。
【０１１３】
図１２（ａ）に示すようにディスプレイ３にロック画面１が表示されている状態において、図１２（ｂ）に示すように、ユーザが、バックタッチパネル７にタッチし、その後、鍵オブジェクト１０１が解除領域Ｒ２ｃに進入するまでドラッグ操作を行うと、制御部１１は、図１１のＳ１３２〜Ｓ１３５の処理により、ロック状態を解除する。この場合、当該ドラッグ操作による鍵オブジェクト１０１の移動終点位置が解除領域Ｒ２ｃに含まれるため、制御部１１は、図１２（ｃ）に示すように、解除領域Ｒ２ｃに含まれる画面オブジェクト１０２ｃに対応する画面であるホーム画面を、ディスプレイ３に表示する。
【０１１４】
本実施例によれば、ロック画面１が表示された状態においてバックタッチパネル７がタッチされると、ロック画面２を経由することなく、直接、ロック解除のための操作を行えるため、上記実施例１に比べて迅速かつ簡便に、ロック状態を解除することができる。
【０１１５】
なお、図１０（ａ）のフローチャートでは、ロック画面１においてバックタッチパネル７がタッチされると、図１１のフローチャートに移行するようにしたが、この処理に加えて、バックタッチパネル７がダブルタップされた場合に、図５（ｂ）に示すロック画面２が表示され、その後、図７の処理が行われても良い。
【０１１６】
＜変更例＞
以上、本発明の実施例について説明したが、本発明は、上記実施例によって何ら制限されるものではなく、また、本発明の実施例も、上記以外に種々の変更が可能である。
【０１１７】
たとえば、上記実施例１、２では、把持検出部２１によって携帯電話機１が把持されたことが検出されたことが、ロック解除のトリガとされた。しかしながら、把持検出部２１によって携帯電話機１が把持されたことが検出されない状態において、バックタッチパネル７に所定の解除操作がなされるとロック状態が解除される機能がさらに付加されても良い。
【０１１８】
ずなわち、図１３（ａ）に示すように画面が閉じられた状態において、図１２（ｂ）に示すように、ユーザが、バックタッチパネル７にタッチし、その後、所望の方向にドラッ
グ操作またはフリック操作を行うと、制御部１１は、ロック状態を解除する。そして、制御部１１は、ドラッグ操作の終点位置またはフリック操作の方向に対応する画面を表示する。図１３（ｂ）の例では、右方向にドラッグ操作が行われているため、図１３（ｃ）のように、ロック解除後にホーム画面が表示される。
【０１１９】
この変更例では、図１３（ａ）の状態において、ロック画面２または図１０（ｂ）に示すロック画面１が表示されないため、ユーザは、ディスプレイ３を見ても、ドラッグ操作またはフリック操作の方向と、ロック解除後に表示される画面との関係を把握することができない。したがって、この変更例では、ユーザは、あらかじめ、ドラッグ操作またはフリック操作の方向と、ロック解除後に表示される画面との関係を記憶しておく必要がある。
【０１２０】
また、上記実施例１、２では、鍵オブジェクト１０１を解除領域Ｒ２ａ〜Ｒ２ｄに移動させることによりロック状態が解除されたが、解除の方法は必ずしもこれに限定されるものではなく、たとえば、移動可能な鍵のオブジェクトを固定された錠のオブジェクトの位置に移動させる方法等、他の解除方法が用いられても良い。
【０１２１】
また、上記実施例１では、バックタッチパネル７に対してダブルフリックの操作が行われると、鍵オブジェクト１０１がディスプレイ３の中央位置に位置付けられたが、鍵オブジェクト１０１の表示位置は、これに限定されるものではない。たとえば、バックタッチパネル７に対してダブルフリックの操作が行われると、鍵オブジェクト１０１がディスプレイ３の中央位置からやや上側にシフトした位置に表示されても良い。
【０１２２】
また、上記実施例１、２では、４つの解除領域Ｒ２ａ〜Ｒ２ｄが配置されたが、解除領域の数はこれに限定されるものではなく、その他の数の解除領域が配置されても良い。また、解除領域の位置および形状も、上記実施例１、２のものに限定されるものではない。
【０１２３】
さらに、上記実施例１、２では、携帯電話機１が把持されることによりロック画面１が表示されたが、携帯電話機１に配置されたハードキー等が操作される等、所定の操作がなされたことによりロック画面１が表示されても良い。
【０１２４】
本発明は、携帯電話機に限られず、ＰＤＡ（Personal DigitalAssistant）、タブレットＰＣ（Tablet PC）、電子書籍端末等の各種の携帯端末装置に適用可能である。
【０１２５】
この他、本発明の実施形態は、特許請求の範囲に示された技術的思想の範囲内において、適宜、種々の変更が可能である。
【符号の説明】
【０１２６】
２  キャビネット
３  ディスプレイ
４  フロントタッチパネル
７  バックタッチパネル
１１  制御部
１３  画像出力部
１４  フロントタッチ検出部
１５  バックタッチ検出部
１０１  鍵オブジェクト
【図１】
2014127782.tif 000003
【図２】
2014127782.tif 000004
【図３】
2014127782.tif 000005
【図４】
2014127782.tif 000006
【図５】
2014127782.tif 000007
【図６】
2014127782.tif 000008
【図７】
2014127782.tif 000009
【図８】
2014127782.tif 000010
【図９】
2014127782.tif 000011
【図１０】
2014127782.tif 000012
【図１１】
2014127782.tif 000013
【図１２】
2014127782.tif 000014
【図１３】
2014127782.tif 000015